(57)【要約】【課題】燃料の濃度検出を支障なく行うことができるようにする。【解決手段】燃料電池ユニット１０は、ＤＭＦＣスタック４２により発電を行うものである。濃度センサ６０は、燃料水溶液中を伝搬する超音波パルスの速度と燃料水溶液の温度とを検出する。燃料電池制御部４１は、検出された速度および温度に基づいて濃度測定値を算出する。この燃料電池制御部４１は、ＤＭＦＣスタック４２の発電動作を終了する際に、算出された濃度測定値を記憶部に記憶する。その後、燃料電池制御部４１は、ＤＭＦＣスタック４２の発電動作を開始する際に算出される濃度測定値と、記憶部に記憶しておいた濃度測定値との差が一定以上ある場合に、その差が一定未満となるように、算出された濃度測定値を補正する。【選択図】      図３
2007066747.tif 000002
【特許請求の範囲】
【請求項１】
燃料電池により発電を行う燃料電池ユニットであって、
前記燃料電池の発電に使用する燃料水溶液の濃度を測定する濃度測定手段と、
前記燃料電池の発電動作を終了する際に、前記濃度測定手段により得られる濃度測定値を記憶する記憶手段と、
前記燃料電池の発電動作を開始する際に、前記濃度測定手段により得られる濃度測定値と前記記憶手段に記憶されている濃度測定値との差が一定以上ある場合に、その差が一定未満となるように前記濃度測定手段により得られた濃度測定値を補正する制御手段と、
を具備することを特徴とする燃料電池ユニット。
【請求項２】
前記濃度測定手段は、燃料水溶液中を伝搬する超音波パルスの速度と燃料水溶液の温度とを検出する検出手段を有することを特徴とする請求項１記載の燃料電池ユニット。
【請求項３】
前記濃度測定手段は、前記検出手段により検出される速度および温度に基づいて前記濃度測定値を算出する手段を有することを特徴とする請求項２記載の燃料電池ユニット。
【請求項４】
前記制御手段は、前記補正を行った後の濃度測定値に基づいて前記燃料電池の補機を制御する手段を有することを特徴とする請求項１記載の燃料電池ユニット。
【請求項５】
前記制御手段は、前記補正を所定回数行っても前記差が一定未満とならない場合、エラーを示す情報を出力する手段を有することを特徴とする請求項１記載の燃料電池ユニット。
【請求項６】
燃料電池により発電を行う燃料電池ユニットに適用される測定値補正方法であって、
前記燃料電池の発電に使用する燃料水溶液の濃度を測定し、
前記燃料電池の発電動作を終了する際に、前記濃度測定により得られる濃度測定値を記憶手段に記憶し、
前記燃料電池の発電動作を開始する際に、前記濃度測定により得られる濃度測定値と前記記憶手段に記憶されている濃度測定値との差が一定以上ある場合に、その差が一定未満となるように前記濃度測定により得られた濃度測定値を補正する
ことを特徴とする測定値補正方法。
【請求項７】
前記濃度測定においては、燃料水溶液中を伝搬する超音波パルスの速度と燃料水溶液の温度とを検出手段により検出することを特徴とする請求項６記載の測定値補正方法。
【請求項８】
前記濃度測定においては、前記検出手段により検出される速度および温度に基づいて前記濃度測定値を算出することを特徴とする請求項７記載の測定値補正方法。
【請求項９】
前記補正を行った後の濃度測定値に基づいて前記燃料電池の補機を制御することを特徴とする請求項６記載の測定値補正方法。
【請求項１０】
前記補正を所定回数行っても前記差が一定未満とならない場合、エラーを示す情報を出力することを特徴とする請求項６記載の測定値補正方法。
【発明の詳細な説明】
【技術分野】
【０００１】
本発明は、例えばダイレクトメタノール方式の燃料電池ユニット及び測定値補正方法に関する。
【背景技術】
【０００２】
燃料電池の方式には種々のものがあるが、情報処理装置に適するものとして、ダイレクトメタノール型燃料電池（ＤＭＦＣ： Direct Methanol Fuel Cell）が挙げられる。この種の燃料電池においては、希釈循環システムを採用しており、システム内で循環するのは低濃度のメタノール水溶液である。発電によるメタノールの消費に対しては高濃度のメタノールを補充し、水の消費に対しては化学反応により生成される水を回収することで補充を行っている。このため、補充される高濃度のメタノールと水とを混合してメタノール水溶液を生成するための混合タンクが備えられている。
【０００３】
発電を支障なく継続させるためには、ＤＭＦＣセルへ供給されるメタノール水溶液中のメタノール濃度が所定の範囲内に収まるように維持する必要がある。そのメタノール濃度の検出には濃度センサが使用される。濃度センサは、一般に、メタノール水溶液が混合タンクからＤＭＦＣセルへと供給される燃料供給流路、もしくは当該燃料供給流路の分岐を経由して混合タンクへと還流させる流路に設置される。
【０００４】
流路に設置される濃度センサとしては、超音波式濃度センサがよく採用される。超音波式濃度センサは、液中を伝搬する超音波パルスの音速が液体濃度および液温によって異なるという性質を利用して、当該音速および温度に基づく濃度測定を行うものである。なお、特許文献１には、メタノール濃度を算定する濃度センサに対して温度センサを近傍に設け、温度条件によりメタノール濃度が影響されるのを補償し、精度良くメタノール濃度を測定する技術が開示されている。
【特許文献１】特開２００４−９５３７６号公報
【発明の開示】
【発明が解決しようとする課題】
【０００５】
上述の濃度センサにおいては、燃料電池の発電動作を停止してから次に燃料電池を起動するまでの間に、センサを構成する部材の吸湿状態の変化や経時的形状変化が起こり、これに伴って超音波パルスの伝搬距離などが変化してしまい、燃料電池の起動時において濃度測定値が異常値を示す可能性がある。そのような場合、メタノール水溶液中のメタノール濃度が所定の範囲内に収まるように正しく制御することが困難となる。
【０００６】
本発明は上記実情に鑑みてなされたものであり、燃料水溶液の濃度測定の精度を向上させることができる燃料電池ユニット及び測定値補正方法を提供することを目的とする。
【課題を解決するための手段】
【０００７】
本発明に係る燃料電池ユニットは、燃料電池により発電を行う燃料電池ユニットであって、前記燃料電池の発電に使用する燃料水溶液の濃度を測定する濃度測定手段と、前記燃料電池の発電動作を終了する際に、前記濃度測定手段により得られる濃度測定値を記憶する記憶手段と、前記燃料電池の発電動作を開始する際に、前記濃度測定手段により得られる濃度測定値と前記記憶手段に記憶されている濃度測定値との差が一定以上ある場合に、その差が一定未満となるように前記濃度測定手段により得られた濃度測定値を補正する制御手段とを具備することを特徴とする。
【０００８】
本発明に係る測定値補正方法は、燃料電池により発電を行う燃料電池ユニットに適用される測定値補正方法であって、前記燃料電池の発電に使用する燃料水溶液の濃度を測定し、前記燃料電池の発電動作を終了する際に、前記濃度測定により得られる濃度測定値を記憶手段に記憶し、前記燃料電池の発電動作を開始する際に、前記濃度測定により得られる濃度測定値と前記記憶手段に記憶されている濃度測定値との差が一定以上ある場合に、その差が一定未満となるように前記濃度測定により得られた濃度測定値を補正することを特徴とする。
【発明の効果】
【０００９】
本発明によれば、燃料水溶液の濃度測定の精度を向上させることができる。
【発明を実施するための最良の形態】
【００１０】
以下、図面を参照して、本発明の一実施形態について説明する。  
図１は、本発明の一実施形態に係る燃料電池ユニットを示す外観図である。図１に示すように、この燃料電池ユニット１０は、情報処理装置、例えばノート型パーソナルコンピュータの後部を載置するための載置部１１と、燃料電池ユニット本体１２とから構成される。燃料電池ユニット本体１２には、電気化学反応で発電を行うＤＭＦＣスタックや、ＤＭＦＣスタックに対して燃料となるメタノールや空気を注入、循環させるための補機（ポンプやバルブ等）を内蔵している。
【００１１】
また、燃料電池ユニット本体１２のユニットケース１２ａ内部の例えば左端に、着脱可能な燃料カートリッジ（図示せず）が内蔵されており、この燃料カートリッジを交換できるように、カバー１２ｂは取り外し可能となっている。
【００１２】
載置部１１には情報処理装置が載置される。載置部１１の上面には、情報処理装置と接続するための接続部としてドッキングコネクタ１４が設けられている。一方、情報処理装置の例えば底面後部には、燃料電池ユニット１０と接続するための接続部としてドッキングコネクタ２１（図示せず）が設けられており、燃料電池ユニット１０のドッキングコネクタ１４と機械的、電気的に接続される。また、載置部１１上に三箇所の位置決め突起１５とフック１６が設けられており、対応して設けられた情報処理装置の底面後部の三箇所の穴に、位置決め突起１５とフック１６が挿入される。
【００１３】
情報処理装置を燃料電池ユニット１０から取り外す時は、図２に示した燃料電池ユニット１０のイジェクトボタン１７を押すことにより、ロック機構（図示せず）の解除が行われて、容易に取り外すことができる。
【００１４】
また、燃料電池ユニット本体１２の例えば右側面には、発電設定スイッチ１１２と燃料電池運転スイッチ１１６が設けられる。
【００１５】
発電設定スイッチ１１２は、燃料電池ユニット１０での発電を許可或いは禁止するためにユーザが予め設定するためのスイッチであり、例えばスライド型スイッチで構成される。
【００１６】
燃料電池運転スイッチ１１６は、例えば、燃料電池ユニット１０で発電される電力で情報処理装置１８が動作している時に、情報処理装置１８の動作は継続しつつ燃料電池ユニット１０での発電のみを停止させるような場合等に用いる。この場合、情報処理装置１８は内蔵された二次電池の電力を用いて動作を継続することになる。燃料電池運転スイッチ１１６は、例えばプッシュスイッチ等で構成される。
【００１７】
図２は、情報処理装置１８（例えば、ノート型パーソナルコンピュータ）を燃料電池ユニット１０の載置部１１の上に載置、接続した時の外観を示す図である。
【００１８】
なお、図１、図２に示した燃料電池ユニット１０の形状や大きさ、或いはドッキングコネクタ１４の形状や位置等は、種々の形態が考えられる。
【００１９】
図３は、燃料電池ユニット１０の系統図を示したものであり、特にＤＭＦＣスタックとその周辺に設けられた補機について細部の系統を示している。
【００２０】
燃料電池ユニット１０は、発電部４０と、燃料電池ユニット１０の制御部である燃料電池制御部４１とから構成される。燃料電池制御部４１は発電部４０の制御を行う他、情報処理装置１８との通信を行う通信制御部としての機能を有する。
【００２１】
発電部４０は、発電を行うための中心となるＤＭＦＣスタック４２を有する他、燃料となるメタノールを収納する燃料カートリッジ４３を有する。燃料カートリッジ４３には高濃度のメタノールが封入されている。燃料カートリッジ４３は、燃料を消費した時には容易に交換できるよう、着脱可能となっている。
【００２２】
また、一般に、ダイレクトメタノール型燃料電池においては、発電効率をあげるためにクロスオーバ現象を低減する必要がある。このために高濃度メタノールを希釈して低濃度化し、これを燃料極４７に注入することが有効である。この実現のため、燃料電池ユニット１０では、希釈循環システム６２を採用しており、発電部４０に希釈循環システム６２の実現に必要な補機６３を設ける。
【００２３】
補機６３には液体流路に設けられるものと気体流路に設けられるものがある。
【００２４】
液体流路においては、燃料電池カートリッジ４３の出力部から燃料供給ポンプ４４が配管接続され、さらに燃料供給ポンプ４４の出力部から混合タンク４５に接続される。さらに、混合タンク４５の出力部は送液ポンプ４６に接続され、送液ポンプ４６の出力部は送液バルブ３１を介してＤＭＦＣスタック４２の燃料極４７に接続される。さらに燃料極４７の出力部は混合タンク４５に配管接続される。このように送液ポンプ４６の動力により液体が混合タンク４５へ還流する液体流路を「第１の液体流路」と称するものとする。なお、送液ポンプ４６は、燃料極４７の入力側に設ける代わりに、燃料極４７の出力側に設けるようにしてもよい。また、送液バルブ３１は、必ずしも必要とされるものではない。
【００２５】
また、水回収タンク５５の出力部は水回収ポンプ５６に配管接続され、水回収ポンプ５６の出力部は混合タンク４５に接続される。
【００２６】
上記第１の液体流路における送液ポンプ４６と燃料極４７との間には分岐が設けられ、この分岐を経由してメタノール水溶液を混合タンク４５へと還流させる別の流路（パイプ等）が設けられる。この流路を、「第２の液体流路」と称するものとする。第２の液体流路は、メタノール水溶液中のメタノール濃度の検出を行うために設けられた専用の流路である。第２の液体流路には、送液ポンプ３２が設けられ、この送液ポンプ３２の出力部は濃度センサ６０を介して混合タンク４５に接続される。なお、送液ポンプ３２は、必ずしも必要とされるものではない。
【００２７】
また、濃度センサ６０は、第１の液体流路から第２の液体流路に流入するメタノール水溶液（温度が６０度もしくはそれ以上となっている）が冷めてその温度が例えば４０度以下となる流路部分に取り付けられる。これにより、濃度センサ６０が熱による悪影響を受けないようにすることができる。
【００２８】
また、濃度センサ６０が濃度検出を行うのに必要なメタノール水溶液の量は、少量（発電部４０内で使用されるメタノール水溶液全体と比較すれば無視できる程度）で済む。すなわち、第２の液体流路の内径は第１の液体流路の内径よりもかなり小さくなっており、第２の液体流路に流入するメタノール水溶液の量はかなり少量である。これにより、ＤＭＦＣスタック４２への燃料供給に悪影響を及ぼさずに済むようになっている。
【００２９】
一方、気体流路においては、送気ポンプ５０が送気バルブ５１を介してＤＭＦＣスタック４２の空気極５２に接続される。空気極５２の出力部は凝縮器５３に接続される。また、混合タンク４５からも、混合タンクバルブ４８を介して凝縮器５３に接続される。凝縮器５３は排気バルブ５７を介して排気口５８に接続される。この凝縮器５３には、水蒸気を効果的に凝縮するフィンが備えられている。また、冷却ファン５４は凝縮器５３の近傍に配設される。
【００３０】
次に、燃料電池ユニット１０の発電部４０の発電メカニズムについて、燃料と空気（酸素）の流れに沿って説明する。
【００３１】
まず、燃料カートリッジ４３内の高濃度メタノールは、燃料供給ポンプ４４によって、混合タンク４５に流入する。混合タンク４５の内部で高濃度メタノールは、回収された水や燃料極４７からの低濃度メタノール（発電反応の残余分）等と混合されて希釈され、低濃度メタノールが生成される。低濃度メタノールの濃度は発電効率の高い濃度（例えば３〜６％）を保てるように制御される。この濃度制御は、例えば、濃度センサ６０の検出結果を基に、燃料電池制御部４１が燃料供給ポンプ４４によって混合タンク４５に供給される高濃度メタノールの量を制御することによって実現される。または、混合タンク４５に環流する水の量を水回収ポンプ５６等で制御することによって実現できる。
【００３２】
また、混合タンク４５には、混合タンク４５内のメタノール水溶液の液量を検出する液量センサ６１や、温度を検出する温度センサ６４が備えられており、これらの検出結果は燃料電池制御部４１に送られて発電部４０の制御などに使用される。
【００３３】
混合タンク４５で希釈されたメタノール水溶液は送液ポンプ４６で加圧されて、ＤＭＦＣスタック４２の燃料極（負極）４７に注入される。燃料極４７では、メタノールの酸化反応が行われることで電子が発生する。酸化反応で生成される水素イオン（Ｈ+）はＤＭＦＣスタック４２内の固体高分子電解質膜４２２を透過して空気極（正極）５２に達する。
【００３４】
一方、燃料極４７で行われる酸化反応によって生成される二酸化炭素は、反応に供されなかったメタノール水溶液とともに再び混合タンク４５に環流する。二酸化炭素は混合タンク４５内で気化し、混合タンクバルブ４８を介して、凝縮器５３へ向かい、最終的には排気バルブ５７を介して、排気口５８から外部へ排気される。
【００３５】
他方、空気（酸素）の流れは、吸気口４９から取り込まれ、送気ポンプ５０で加圧され、送気バルブ５１を介し空気極（正極）５２に注入される。空気極５２では、酸素（Ｏ2）の還元反応が進行し、外部の負荷からの電子（ｅ-）と、燃料極４７からの水素イオン（Ｈ+）と、酸素（Ｏ2）から水（Ｈ2Ｏ）が水蒸気として生成される。この水蒸気は空気極５２から排出され、凝縮器５３に入る。凝縮器５３では、冷却ファン５４によって水蒸気が冷却されて水（液体）となり、水回収タンク５５内に一時的に蓄積される。この回収された水は水回収ポンプ５６によって混合タンク４５へと環流し、高濃度メタノールを希釈するための希釈循環システム６２が構成される。
【００３６】
この希釈循環システム６２による燃料電池ユニット１０の発電メカニズムからわかるように、ＤＭＦＣスタック４２から電力が取り出す、即ち、発電を開始するために、各部のポンプ４４，４６，５０，５６やバルブ４８、５１、５７或いは冷却ファン５４等の補機６３を駆動させる。これによってメタノール水溶液と空気（酸素）がＤＭＦＣスタック４２内に注入されそこで電気化学反応が進行することによって電力が得られる。一方、発電を停止するには、これらの補機６３の駆動を停止させる。
【００３７】
図４は、本発明に係る燃料電池ユニット１０が接続される情報処理装置１８のシステム構成を示したものである。
【００３８】
情報処理装置１８は、ＣＰＵ６５、主記憶６６、ディスプレイコントローラ６７、ディスプレイ６８、ＨＤＤ（Hard Disk Drive）６９、キーボードコントローラ７０、ポインタデバイス７１、キーボード７２、ＦＤＤ７３、これら構成品間において信号を伝送するバス７４、バス７４を介して伝送される信号を変換するためのノースブリッジ７５、サウスブリッジ７６と呼ばれるデバイス等から構成される。また、情報処理装置１８の内部に電源部７９を設け、ここに二次電池８０として、例えばリチウムイオン電池を保有している。電源部７９は、制御部７７（以降、電源制御部７７と記載する）によって制御される。
【００３９】
燃料電池ユニット１０と情報処理装置１８との電気的インタフェースとして制御系インタフェースと電源系インタフェースとを設ける。制御系インタフェースは情報処理装置１８の電源制御部７７と燃料電池ユニット１０の制御部４１との間にて通信を行うために設けられるインタフェースである。制御系インタフェースを介して情報処理装置１８と燃料電池ユニット１０との間で行われる通信は、例えばＩ2Ｃバス７８といったシリアルバスを介して行われる。
【００４０】
電源系インタフェースは、燃料電池ユニット１０と情報処理装置１８との間における電力の授受のために設けられるインタフェースである。例えば、発電部４０のＤＭＦＣスタック４２で発電された電力が制御部４１（以降、燃料電池制御部４１と記載する）およびドッキングコネクタ１４、２１を介して情報処理装置１８に供給される。また、電源系インタフェースには、情報処理装置１８の電源部７９から、燃料電池ユニット１０内の補機６３等への電力供給８３もある。
【００４１】
なお、情報処理装置１８の電源部７９に対してＡＣアダプタ用コネクタ８１を介してＡＣ／ＤＣ変換された直流電源が供給され、これによって情報処理装置１８の動作、二次電池（リチウムイオン電池）８０の充電が可能である。
【００４２】
図５は、燃料電池ユニット１０の燃料電池制御部４１と、情報処理装置１８の電源部７９との、接続関係を示す構成例である。
【００４３】
燃料電池ユニット１０と情報処理装置１８とはドッキングコネクタ１４、２１によって機械的かつ電気的に接続される。ドッキングコネクタ１４、２１には、燃料電池ユニット１０のＤＭＦＣスタック４２で発電された電力を情報処理装置１８へ供給するための第一の電源端子（出力電源端子）９１および、情報処理装置１８から、燃料電池ユニット１０のマイクロコンピュータ９５にレギュレータ９４を介して電源を供給し、かつ補機用電源回路９７にスイッチ１０１を介して電源を供給するための第二の電源端子（補機用入力電源端子）９２を有する。また、情報処理装置１８からＥＥＰＲＯＭ９９へ電源供給するための第三の電源端子９２ａを有している。
【００４４】
さらに、ドッキングコネクタ１４、２１は情報処理装置１８の電源制御部７７と燃料電池ユニット１０のマイクロコンピュータ９５との通信や、書き込み可能な不揮発性メモリ（ＥＥＰＲＯＭ）９９との通信、を行うための通信用入出力端子９３を有している。
【００４５】
次に、図５に示した接続図と、図６に示した燃料電池ユニット１０の状態遷移図とを用いて、燃料電池ユニット１０から情報処理装置１８へ、燃料電池ユニット１０に設けられるＤＭＦＣスタック４２の電力が供給されるまでの基本的な処理の流れを説明する。
【００４６】
なお、情報処理装置１８の二次電池（リチウムイオン電池）８０には所定の電力が充電されているものとする。また、図５の中のスイッチは全て開いているものとする。
【００４７】
まず、情報処理装置１８は、コネクタ接続検出部１１１から出力される信号に基づいて、情報処理装置１８と燃料電池ユニット１０とが機械的および電気的に接続されたことを認識する。この認識は、コネクタ接続検出部１１１が例えばコネクタ接続検出部１１１へ入力される信号に基づいて、ドッキングコネクタ１４、２１の接続によって燃料電池ユニット１０の内部で接地されることを検出することによって行われる。
【００４８】
また、情報処理装置１８の電源制御部７７は、燃料電池ユニット１０の発電設定スイッチ１１２の設定が発電許可設定であるか発電禁止設定であるかを認識する。例えば、発電設定スイッチ検出部１１３へ入力される信号に基づいて、発電設定スイッチ検出部１１３が発電設定スイッチ１１２の設定状態に応じて接地状態であるか或いは解放状態であるか否かを検出する。発電設定スイッチ１１２が解放状態である場合は、電源制御部７７は発電禁止設定として認識する。
【００４９】
発電設定スイッチ１１２が発電禁止設定である状態は、図６の状態遷移図において「ストップステート（０）」ＳＴ１０に相当する状態である。
【００５０】
情報処理装置１８と燃料電池ユニット１０とがドッキングコネクタ１４、２１を介して機械的に接続されると、情報処理装置１８側から第三の電源端子９２ａを介して燃料電池制御部４１の記憶部である不揮発性メモリ（ＥＥＰＲＯＭ）９９に電源が供給される。このＥＥＰＲＯＭ９９には、燃料電池ユニット１０の識別情報等が予め記憶される。識別情報には、例えば燃料電池ユニットの部品コードや製造シリアル番号、或いは定格出力などの情報を予め含ませることができる。また、このＥＥＰＲＯＭ９９は、例えば、Ｉ2Ｃバス９３といったシリアルバスに接続されており、ＥＥＰＲＯＭ９９に記憶されているデータはこのＥＥＰＲＯＭ９９に電源が供給されている状態において読み出し可能である。図５の構成では、電源制御部７７が通信用入出力端子９３を介してＥＥＰＲＯＭ９９の情報を読み出すことが可能である。
【００５１】
この状態においては、燃料電池ユニット１０は発電を行っておらず、また燃料電池ユニット１０の内部の状態は、ＥＥＰＲＯＭ９９の電源以外は電源が供給されていない状態である。
【００５２】
ここで、ユーザが発電設定スイッチ１１２の設定を発電許可設定に設定すると（図５では発電設定スイッチを接地状態側に設定する）、情報処理装置１８に設けられる電源制御部７７は、燃料電池ユニット１０に設けられるＥＥＰＲＯＭ９９に記憶された識別情報を読み出すことが可能となる。この状態が、図６の「ストップステート（１）」ＳＴ１１の状態である。
【００５３】
換言すると、ユーザが発電設定スイッチ１１２を発電許可設定に設定しない限り、即ち発電禁止設定の設定である限り、「ストップステート（０）」ＳＴ１０の状態であり、燃料電池ユニット１０における発電を禁止することが可能である。
【００５４】
なお、発電設定スイッチは、例えばスライドスイッチ等のように開または閉の状態をいずれか一方の状態に保持できるものが好ましい。
【００５５】
電源制御部７７による識別情報の読み出しは、Ｉ2Ｃバス７８といったシリアルバスを介して燃料電池ユニット１０に設けられるＥＥＰＲＯＭ９９に記憶されている燃料電池ユニット１０の識別情報を読み出すことによって行われる。
【００５６】
電源制御部７７が読み出された識別情報に基づいて、情報処理装置１８に接続されている燃料電池ユニット１０が情報処理装置１８に適合した燃料電池ユニットであると判断した場合、図６の状態は、「ストップステート（１）」ＳＴ１１から「スタンバイステート」ＳＴ２０に遷移する。
【００５７】
具体的には、情報処理装置１８に設けられる電源制御部７７は、情報処理装置１８に設けられるスイッチ１００を閉じることによって、二次電池８０の電力を第１の電源端子９２を介して燃料電池ユニット１０へ供給し、レギュレータ９４を介してマイクロコンピュータ９５へ電源が供給される。
【００５８】
この「スタンバイステート」ＳＴ２０の状態では、燃料電池ユニット１０に設けられるスイッチ１０１は開いており、補機用電源回路９７には電源は供給されていない。従って、この状態において補機６３は動作していない。
【００５９】
しかしながら、マイクロコンピュータ９５は動作を開始しており、情報処理装置１８に設けられる電源制御部７７から、Ｉ2Ｃバス７８を介して各種の制御用コマンドを受信することが可能な状態である。また、マイクロコンピュータ９５は、燃料電池ユニット１０の電源情報を、Ｉ2Ｃバスを介して情報処理装置１８へ送信可能な状態である。
【００６０】
図７は、情報処理装置１８に設けられる電源制御部７７から、燃料電池制御部４１に設けられるマイクロコンピュータ９５に送られる制御用コマンドの一例を示した図である。
【００６１】
図８は、燃料電池制御部４１に設けられるマイクロコンピュータ９５から情報処理装置１８に設けられる電源制御部７７に送られる電源情報の一例を示した図である。
【００６２】
情報処理装置１８に設けられる電源制御部７７は、図８の電源情報のうち「ＤＭＦＣ運転状態」（図８の番号１）を読み取ることによって、燃料電池ユニット１０が「スタンバイステート」ＳＴ２０であること認識する。
【００６３】
この「スタンバイステート」ＳＴ２０の状態で、電源制御部７７が、図７に示した制御用コマンドのうち「ＤＭＦＣ運転ＯＮ要求」コマンド（発電開始コマンド）を燃料電池制御部４１に送ると、これを受信した燃料電池制御部４１は、燃料電池ユニット１０の状態を「ウォームアップステート」ＳＴ３０に移行させる。
【００６４】
具体的には、マイクロコンピュータ９５からの制御によって燃料電池制御部４１に設けられるスイッチ１０１を閉じて補機用電源回路９７に情報処理装置１８からの電源を供給する。併せて、マイクロコンピュータ９５から送信される補機用制御信号によって、発電部４０に設けられる補機６３、即ち、図４に示した各ポンプ４４、４６、５０、５６、バルブ４８、５１、５７及び冷却ファン５４等を駆動させる。さらにマイクロコンピュータ９５は、燃料電池制御部４１に設けられたスイッチ１０２を閉じる。
【００６５】
この結果、発電部４０に設けられるＤＭＦＣスタック４２に対してメタノール水溶液や空気が注入され、発電が開始される。また、ＤＭＦＣスタック４２による発電電力は、情報処理装置１８に供給が開始される。ただし、発電出力は、瞬時に定格値に達するわけではないため、定格値に達するまでの状態を「ウォームアップステート」ＳＴ３０と呼んでいる。
【００６６】
燃料電池制御部４１に設けられるマイクロコンピュータ９５は、例えばＤＭＦＣスタック４２の出力電圧およびＤＭＦＣスタック４２の温度をモニタすることにより、ＤＭＦＣスタック４２の出力が定格値に達したと判断すると、燃料電池ユニット１０に設けられるスイッチ１０１を開き、補機６３への電力供給源を情報処理装置１８からＤＭＦＣスタック４２に切り替える。この状態が「オンステート」ＳＴ４０である。
【００６７】
以上が「ストップステート」ＳＴ１０から「オンステート」ＳＴ４０への処理の流れの概要である。
【００６８】
図９は、濃度センサ６０の構成例を説明するための図である。  
濃度センサ６０は、例えば、前述した第２の液体流路（送液ポンプ４６から送り出されるメタノール水溶液が第１の液体流路から分岐して混合タンク４５へ還流する液体流路）に設置される。この濃度センサ６０の種類としては、例えば超音波式濃度センサ（もしくは音速センサ）と呼ばれるものが適用される。超音波式濃度センサは、液中を伝搬する超音波パルスの音速が液体濃度および液温によって異なるという性質を利用して、当該音速および温度に基づく濃度測定を行うものである。なお、超音波式濃度センサに限らず、最終的にメタノール濃度を計測できるものであれば、他の種類のセンサを適用することも可能である。
【００６９】
上記濃度センサ６０は、例えば、図９に示されるように送信端６０Ａ、受信端６０Ｂ、センサＩＣ６０Ｃ、及び温度センサ（サーミスタ）６０Ｄ，６０Ｅを有する。なお、送信端６０Ａと受信端６０Ｂとの間に上記流路部分が位置するようにする。
【００７０】
送信端６０Ａは、受信端６０Ｂへ向けて所定の超音波パルスを定期的に発信するものである。受信端６０Ｂは、受信端６０Ｂから発信される超音波パルスを受信するものである。センサＩＣ６０Ｃは、送信端６０Ａから超音波パルスが発信されるタイミングと受信端で超音波パルスが受信されるタイミングとの差に基づき、超音波パルスが上記流路部分におけるメタノール水溶液中を通過したときの速度（音速）を検出するものである。メタノール濃度が高いときは音速が低くなり、メタノール濃度が低いときには音速が高くなる傾向がある。センサＩＣ６０Ｃにおける検出結果は、燃料電池制御部４１に通知される。
【００７１】
また、温度センサ６０Ｄ，６０Ｅは、上記流路部分において流れるメタノール水溶液の温度を検出するものである。メタノール水溶液中のメタノールの濃度は、メタノール水溶液の温度に応じて変化することが知られている。このため、温度センサ６０Ｄ，６０Ｅにより検出される温度も、メタノール濃度の測定に使用される。温度センサ６０Ｄ，６０Ｅにおける検出結果は、燃料電池制御部４１に通知される。なお、温度センサ６０Ｄ，６０Ｅにおける検出結果がセンサＩＣ６０Ｃに入力されるように構成してもよい。
【００７２】
燃料電池制御部４１は、濃度センサ６０におけるセンサＩＣ６０Ｃおよび温度センサ６０Ｄでの検出結果に基づき、メタノール水溶液におけるメタノール濃度を測定することができる。例えば、燃料電池制御部４１は、メタノール濃度と音速との相関関係に基づき、検出された音速からメタノール濃度を求める。さらに、このメタノール濃度の値を、温度センサ６０Ｄ，６０Ｅにより検出された温度に応じて調整する。このようにして、メタノール水溶液中のメタノールの濃度測定値が得られる。なお、この濃度測定値の算出を濃度センサ６０側のセンサＩＣ６０Ｃの内部で行うように構成してもよい。
【００７３】
図１０は、メタノール水溶液の温度と濃度センサ検出値との相関関係を示す図である。
【００７４】
メタノール水溶液のメタノール濃度が適切に保たれている状態においては、濃度センサ６０のセンサＩＣ６０Ｃにて検出される濃度検出値と温度センサ６０Ｄ，６０Ｅにて検出される液温検出値との関係は、図１０中に示されるような曲線Ｋで表わされる。例えば、液温がＴ１（℃）であるときには濃度検出値はＭ１（mV）となり、液温がＴ２（℃）であるときには濃度検出値はＭ２（mV）となる。もし、ある液温のときの濃度検出値が曲線Ｋから大きくはずれる状態になった場合には、その濃度検出値が曲線Ｋに近づくように、燃料電池制御部４１によってポンプ等の補機が制御され、これによりメタノール水溶液のメタノール濃度が調整されることとなる。
【００７５】
以下、図１１〜図１３を参照して、本実施形態による濃度測定値の補正に関わる構成および動作について説明する。
【００７６】
図１１は、燃料電池制御部４１の機能構成を示すブロック図である。
【００７７】
燃料電池制御部４１は、算出部４１１、補機操作部４１２、制御部４１３、及び記憶部４１４を備えている。
【００７８】
算出部４１１は、濃度センサ６０におけるセンサＩＣ６０Ｃおよび温度センサ６０Ｄでの各検出結果に基づき、メタノール水溶液中のメタノールの濃度測定値を算出するものである。この算出処理においては、濃度検出値及び液温検出値から濃度測定値を導き出すためのテーブル情報（具体的な数値の対応付けが記述された情報）もしくは演算式が用いられる。
【００７９】
補機操作部４１２は、算出部４１１によって算出された濃度測定値に基づき、メタノール水溶液のメタノール濃度が適正な値を保つよう、ポンプ等の補機を制御するものである。
【００８０】
制御部４１３は、ＤＭＦＣスタック４２の発電動作を終了する際に、算出部４１１によって算出される濃度測定値を記憶部４１４に記憶したり、ＤＭＦＣスタック４２の発電動作を開始する際に、算出部４１１によって新たに算出される濃度測定値と記憶部４１４に記憶しておいた濃度測定値との差が一定以上ある場合に、その差が一定未満となるように算出部４１１によって得られた濃度測定値を補正したり、補正後の濃度測定値に基づいて補機を制御するよう補機操作部４１２に指示したりするものである。また、制御部４１３は、補正を所定回数行っても上記の差が一定未満とならない場合、エラーを示す情報を、表示情報や音声などの形態で燃料電池ユニット本体１２にて又は情報処理装置１８を通じて出力し、ユーザにその旨を通知する機能も備えている。
【００８１】
記憶部４１４は、制御部４１３による制御のもとで、ＤＭＦＣスタック４２の発電動作の終了時に算出部４１１によって算出された濃度測定値を記憶するものである。記憶部４１４に記憶された濃度測定値は、ＤＭＦＣスタック４２の発電動作が停止している間も保持され、ＤＭＦＣスタック４２の発電動作の開始時に制御部４１３によって参照される。
【００８２】
上記制御部４１３での補正処理に適用される補正量は、例えば次のような式から得られる。
【００８３】
補正量(mol/L)＝発電終了時の濃度測定値(mol/L)−発電開始時の濃度測定値(mol/L)
すなわち、発電終了時に記憶部４１４に記憶した濃度測定値(mol/L)と、その後の発電開始時に算出部４１１で算出された濃度測定値(mol/L)との差が、補正量(mol/L)として適用される。但し、これら発電終了時の濃度測定値(mol/L)と発電開始時の濃度測定値(mol/L)とのずれ量が一定値未満である場合には補正処理は行われない。例えば、図１２に示されるように当該ずれ量が0.2(mol/L)未満である場合には補正処理は行われず、0.2(mol/L)以上である場合に補正処理が行われるようにする。
【００８４】
上記補正量を用いて補正処理を行った場合、補正後の濃度測定値は、例えば次のような式から得られる。
【００８５】
補正後の濃度測定値(mol/L)＝補正前の濃度測定値(mol/L)＋補正量(mol/L)
こうして得られた補正後の濃度測定値(mol/L)は、補機操作部４１２において補機の制御のために使用されることになる。
【００８６】
次に、図１３のフローチャートを参照して、濃度センサ６０及び燃料電池制御部４１で実現される動作を説明する。
【００８７】
燃料電池制御部４１は、ＤＭＦＣスタック４２の運転開始（起動）の指示を受けると（ステップＳ１１）、濃度センサ６０を通じてメタノール水溶液中のメタノールの濃度の検出値や液温の検出値を取得し（ステップＳ１２）、テーブル情報などを用いて濃度測定値を算出する（ステップＳ１３）。
【００８８】
そして、燃料電池制御部４１は、ステップＳ１３で算出した濃度測定値と、ＤＭＦＣスタック４２の運転停止時に記憶部４１４に記憶しておいた濃度測定値とを比較し、一定以上のずれ（ここでは、0.2(mol/L)以上のずれ）があるか否かを判定する（ステップＳ１４）。
【００８９】
上記ステップＳ１４において、ずれ量が一定以上ある場合には、補正処理を行うことを決定する。例えば、ＤＭＦＣスタック４２内部に残留するメタノール水溶液中のメタノールの濃度は、一定の法則に従い、経時変化する（濃度が低下する）という傾向があるので、その経時変化分を考慮し、濃度測定値に差が生じていれば、算出された濃度測定値が前の運転停止した時点での濃度測定値となるように補正処理すべきと決定し、所定の記憶領域に記憶されている補正回数をカウントアップする（ステップＳ１５）。補正回数が１〜３回の範囲であれば、補正量を算出して当該補正量による補正処理を行い（ステップＳ１６）、ステップＳ１２からの処理を繰り返す。
【００９０】
一方、補正回数が４回に達した場合には、適切な制御を続けることができないため、エラーを示す情報を出力する（ステップＳ１７）。すなわち、濃度測定値は、メタノール水溶液中の気泡や急激な温度変化などにより、自一時的に誤差が生じる可能性があるため、上記比較の処理を例えば４回までで行うようにし、４回目の比較において濃度測定値の差が一定以上ある場合にはエラーを示す情報を出力するようにする。エラーが生じた場合、例えば使用者がＤＭＦＣスタック４２の運転終了を指示することで当該運転終了が実行されるようにしてもよいし、自動的に当該運転終了が実行されるようにしてもよい。
【００９１】
また、上記ステップＳ１４において、ずれ量が一定未満である場合には、補正処理は行われず（ステップＳ１８）、そのまま通常運転の状態となる。
【００９２】
その後、燃料電池制御部４１は、ＤＭＦＣスタック４２の運転終了（停止）の指示を受けると（ステップＳ２１）、濃度センサ６０を通じてメタノール水溶液中のメタノールの濃度の検出値や液温の検出値を取得し、テーブル情報などを用いて濃度測定値を算出し（ステップＳ２２）、算出した濃度測定値を記憶部４１４に記憶する（ステップＳ２３）。ここで記憶された濃度測定値は、次回、ＤＭＦＣスタック４２の運転が開始される際に比較処理（前述のステップＳ１４の処理）において使用されることになる。
【００９３】
そして、燃料電池制御部４１は、ＤＭＦＣスタック４２の運転終了時に必要な作業を行い（ステップＳ２４）、当該運転終了を実行する（ステップＳ２５）。
【００９４】
このように本実施形態によれば、燃料電池の発電動作を停止してから次に燃料電池を起動するまでの間に、センサを構成する部材の吸湿状態の変化や経時的形状変化が起こったり、これに伴って超音波パルスの伝搬距離などが変化してしまったり、ＤＭＦＣスタック４２内部に残留するメタノール水溶液中のメタノールの濃度が変化してしまったりしても、測定される濃度測定値のずれを補正処理によって適切に解消することができ、ＤＭＦＣスタック４２の起動時の安定性を向上させることができる。
【００９５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９６】
【図１】本発明の一実施形態に係る燃料電池ユニットを示す外観図。
【図２】上記燃料電池ユニットに情報処理装置を接続した状態を示す外観図。
【図３】上記燃料電池ユニットの発電部の構成を主に示す系統図。
【図４】上記燃料電池ユニットに上記情報処理装置を接続した状態を示す系統図。
【図５】上記燃料電池ユニット及び上記情報処理装置の構成を示す系統図。
【図６】上記燃料電池ユニット及び上記情報処理装置の状態遷移図。
【図７】上記燃料電池ユニットに対する主な制御用コマンドを示す図。
【図８】上記燃料電池ユニットの主な電源情報を示す図。
【図９】図３中に示される濃度センサの構成例を説明するための図。
【図１０】メタノール水溶液の温度と濃度センサ検出値との相関関係を示す図。
【図１１】図３中に示される燃料電池制御部の機能構成を示すブロック図。
【図１２】補正処理の有無が濃度測定値のずれ量に応じて決定されることを示す図。
【図１３】図１１中に示される濃度センサ及び燃料電池制御部で実現される動作を示すフローチャート。
【符号の説明】
【００９７】
１０…燃料電池ユニット、１１…載置部、１２…燃料電池ユニット本体、１４…ドッキングコネクタ、４０…発電部、４１…燃料電池制御部、４２…ＤＭＦＣスタック、４３…燃料カートリッジ、４４…燃料供給ポンプ、４５…混合タンク、４６…送液ポンプ、４７…燃料極（負極）、４８…混合タンクバルブ、５０…送気ポンプ、５１…送気ポンプ、５２…空気極（正極）、５３…凝縮器、５４…冷却ファン、５５…水回収タンク、５６…水回収ポンプ、５７…排気バルブ、５８…排気口、６０…濃度センサ、６０Ａ…送信端、６０Ｂ…受信端、６０Ｃ…センサＩＣ、６０Ｄ…温度センサ、６１…液量センサ、６２…希釈循環システム、６３…補機、６４…温度センサ、４１１…算出部、４１２…補機操作部、４１３…制御部、４１４…記憶部。
【図１】
2007066747.tif 000003
【図２】
2007066747.tif 000004
【図３】
2007066747.tif 000005
【図４】
2007066747.tif 000006
【図５】
2007066747.tif 000007
【図６】
2007066747.tif 000008
【図７】
2007066747.tif 000009
【図８】
2007066747.tif 000010
【図９】
2007066747.tif 000011
【図１０】
2007066747.tif 000012
【図１１】
2007066747.tif 000013
【図１２】
2007066747.tif 000014
【図１３】
2007066747.tif 000015